(57)【要約】【課題】  専用の換気手段を設けずに簡単な構成で短時間のうちに結露を抑えることができるレンズ鏡筒を実現する【解決手段】  複数のレンズ群と、駆動源を備えた駆動機構と、該駆動機構を制御するための制御手段と、該複数のレンズ群近傍の温度或いは湿度を検知する検知手段と、を有するレンズ鏡筒において、前記駆動機構は前記複数のレンズ群の内、少なくとも１つの群を光軸方向に移動させる機構であるとともに、前記制御手段は前記駆動機構の駆動に用いられる第１の駆動パターンと、該第１の駆動パターンに対して駆動範囲が広く、且つ駆動速度が速い第２の駆動パターンと、を有し、前記制御手段は前記検知手段による検知に基づいて第２の駆動パターンを選択可能にすることを特徴とする。【選択図】  図１
2019095632.tif 000002
【特許請求の範囲】
【請求項１】
複数のレンズ群と、
駆動源を備えた駆動機構と、
該駆動機構を制御するための制御手段と、
該複数のレンズ群近傍の温度或いは湿度を検知する検知手段と、
を有するレンズ鏡筒において、
前記駆動機構は前記複数のレンズ群の内、少なくとも１つの群を光軸方向に移動させる機構であるとともに、
前記制御手段は前記駆動機構の駆動に用いられる第１の駆動パターンと、
該第１の駆動パターンに対して駆動範囲が広く、且つ駆動速度が速い第２の駆動パターンと、
を有し、
前記制御手段は前記検知手段による検知に基づいて第２の駆動パターンを選択可能にすることを
特徴とするレンズ鏡筒。
【請求項２】
請求項１に記載のレンズ鏡筒において、
前記駆動機構によって移動するレンズ群近傍に備えた温度或いは湿度を検出する第１の検出手段と、
前記第１の検出手段とは異なる位置に設けられた温度あるいは湿度を検出する第２の検出手段と、を有し、
前記制御手段は、前記第１の検出手段の検出値と前記第２の検出手段の検出値に基づいて、
前記制御手段は前記第２の駆動パターンで駆動することを選択することを
特徴とする請求項１に記載のレンズ鏡筒。
【請求項３】
請求項１または請求項２に記載のレンズ鏡筒において、
前記駆動機構によって移動するレンズ群は合焦時に移動するレンズ群であることを
特徴とする請求項１または２に記載のレンズ鏡筒。
【発明の詳細な説明】
【技術分野】
【０００１】
本発明はレンズ鏡筒に関するものである。
【背景技術】
【０００２】
一眼レフカメラなどの撮像装置に搭載されるレンズ鏡筒は、様々な撮影環境で使用されることや運搬されることがあり、その条件によってはレンズ鏡筒を構成するレンズ群の一部に結露が生じることがある。これはレンズ近傍に存在する水蒸気が、レンズもしくはレンズ鏡筒を構成する部品との相対的な温度差によって飽和水蒸気量に達した場合、飽和した分の水蒸気が水滴としてレンズ表面に付着するためである。特に元の環境よりも温度が高い環境へ急激に移行した場合に生じやすい現象である。
【０００３】
レンズ鏡筒を構成するレンズ群の最前面、最後面に付着した水滴はユーザ自信が拭き取ることができる。しかし、それ以外のレンズに結露が発生した場合には撮影される画像に影響を及ぼすことがあるため、結露が消えるまで撮影ができないことが多く速写性に課題がある。
【０００４】
上記の課題を解決する方法として、従来は特許文献１に開示されているような構成が提案されている。特許文献１に示すように、筺体内に相対的に移動する可動部を設け、可動部に設けた換気部が外気と連通する位置に移動したときに筺体内外の空気を流通できる構成で結露を防止している。
【先行技術文献】
【特許文献】
【０００５】
【特許文献１】特開２００３−８４１８０号公報
【発明の概要】
【発明が解決しようとする課題】
【０００６】
しかしながら、この構成では換気可能な状態で自然対流を利用して筺体内外の空気を換気するため、換気が十分にできるまでに時間がかかることで、時間がかかるため撮影したい機会を逃す可能性がある。
【０００７】
そこで本発明の目的は、専用の換気手段を設けずに簡単な構成で短時間のうちに結露を抑えることができるレンズ鏡筒を実現することにある。
【課題を解決するための手段】
【０００８】
そこで、上記課題を達成するための請求項１に記載の発明は、
空気と接する複数のレンズ群と、
駆動源を備えた駆動機構と、
該駆動機構を制御するための制御手段と、
該複数のレンズ群近傍の温度或いは湿度を検知する検知手段と、
を有するレンズ鏡筒において、
前記駆動機構は前記複数のレンズ群の内、少なくとも１つの群を光軸方向に移動させる機構であるとともに、
前記制御手段は前記駆動機構の駆動に用いられる第１の駆動パターンと、
該第１の駆動パターンに対して駆動範囲が広く、且つ駆動速度が速い第２の駆動パターンと、
を有し、
前記制御手段は前記検知手段による検知に基づいて第２の駆動パターンを選択可能にすることを特徴とする。
【発明の効果】
【０００９】
請求項１に記載の発明によれば、レンズ群を高速かつ広い範囲で動かすことで筺体内の空気の対流および筺体内外の換気を促進し、短時間のうちに結露を抑制することができる。
【図面の簡単な説明】
【００１０】
【図１】本発明の実施形態１におけるレンズユニットのフォーカスレンズの撮影モードの駆動パターンと換気モードの駆動パターンを示す図
【図２】本発明の実施形態１におけるレンズユニットを含むカメラ装置全体の斜視図
【図３】本発明の実施形態１におけるレンズユニットの光軸を含む面の断面図
【図４】本発明の実施形態１におけるカメラ装置の換気手順のフローチャート
【図５】本発明の実施形態２におけるレンズユニットの光軸を含む面の断面図
【図６】本発明の実施形態２におけるカメラ装置の換気手順のフローチャート
【発明を実施するための形態】
【００１１】
以下に、本発明の好ましい実施の形態を、添付の図面に基づいて詳細に説明する。
【００１２】
［実施例１］
以下、図１から図４を参照して、本発明の第1の実施例による、レンズ鏡筒について説明する。
【００１３】
（全体構成）
図２はカメラ装置全体の斜視図である。図２において、１００は任意の光学性能を有する交換レンズ装置である。
【００１４】
１００Ａは後述するカメラ装置２００と連結する、連結部であるマウントであり、ＭＦＲは回転することで被写体を手動で合焦する手動合焦リングである。ＭＺＲは回転することで被写体の倍率を手動で変更する手動変倍リングである。２００は交換レンズ装置１００と不図示の連結機構で組み付いて、被写体を撮影し撮影した画像を記録および編集するカメラ装置である。ＲＳＷは押圧することで、被写体に電動で合焦すると共に、シャッターを切る機能を備えたシャッタースイッチである。ＦＳＷはスライド式のスイッチで、合焦動作をシャッタースイッチＲＳＷの操作によって行うか、手動合焦リングＭＦＲの操作によって行うかを選択する合焦選択スイッチである。
【００１５】
（レンズ装置構成）
図３は光学レンズ装置１００の光軸を含む面の断面図である。図３において、１は最も被写体側に配置され後述する直進筒８に保持され、後述するカム筒７の回転によって変倍時に光軸方向に移動する第１のレンズユニットである。２は後述する案内筒６に保持される保持部を備えた第２のレンズユニットである。３は後述する案内筒６に保持される保持部を備え、後述するカム筒７の回転によって変倍時に光軸方向に移動する第３のレンズユニットである。
【００１６】
４は後述する案内筒６に保持および固定される固定部を備え、後述するカム筒７の回転によって変倍時に光軸方向に移動すると共に後述する第５のレンズユニット５および合焦駆動部１０を保持する第４のレンズユニットである。５は合焦操作時に電動でレンズを光軸方向に移動する第５のレンズユニットである。６は各レンズユニットに設けられた不図示のカムフォロワと接して各レンズユニットが光軸方向に直進移動するためのガイドとなる溝である直進溝６Ａ、６Ｂを備え、後述する固定筒９に固定される案内筒である。
【００１７】
７は各レンズユニットに設けられた不図示のカムフォロワと接続される任意の軌跡を有するカム溝７Ａ、７Ｂを備え、回転することでカム溝の軌跡と案内筒６に設けられた直進溝６Ａ、６Ｂに応じて所定の位置にレンズを移動するカム筒である。８は第１のレンズユニット１と組みつきカム筒７の回転によって光軸方向に移動する直進筒である。９はカメラ装置２００と接続する不図示の連結機構と組みつく固定筒である。
【００１８】
固定筒９には手動合焦リングＭＦＲと、手動変倍リングＭＺＲが各々回転可能に組みつく。１０は第４のレンズユニット４に保持される合焦駆動部。合焦駆動部１０は第５のレンズユニット５と不図示の連結機構によって連結され、合焦駆動部１０が動作することで第５のレンズユニット５を、光軸と平行に、且つ第４のレンズユニット４に対して相対的な位置を変化させる。合焦駆動部１０は後述する制御基板２６と電気的に接続されシャッタースイッチＲＳＷや手動合焦リングＭＦＲの操作によって第５のレンズユニット５を光軸方向の所定の位置に移動する。
【００１９】
２０はカメラ装置２００と電気的に接続され、交換レンズ装置１００内の合焦駆動部１０へ電力を供給するとともに駆動方向や駆動量を制御し、且つ交換レンズ装置１００の各操作の検知や通信制御などを行う制御基板である。αはレンズ装置１００の光軸を示す。Ｓ１は第５のレンズユニット近傍に設けられた第１の温度センサである。
【００２０】
（結露抑制構造の詳細）
図４を用いて本カメラ装置の換気手順について説明する。まず、ステップＳ１０１としてカメラ装置２００の不図示の電源を入れると、カメラ装置２００に内蔵された不図示の電池からカメラ装置２００および制御基板２０を介してステップＳ１０２としてレンズ装置１００に電力が供給される。レンズ装置１００に電力が供給されると、ステップＳ１０３としてレンズ装置は撮影モードとなる。撮影モードは静止画撮影や動画撮影および後述する換気モード以外の操作全般を包括するモードである。
【００２１】
次に撮影モード中のレンズ装置１００について、ステップＳ１０4として温度センサＳ１の取得値Ｔ１が上昇し、且つ単位時間変化が設定値Ｍ１より早い場合にレンズ装置１００は結露している可能性が高い。この時、ステップＳ１０５として使用者に対して結露を抑制する換気モードを選択するか否かを通知する。通知方法は例えばアラーム音や、カメラ装置２００側の任意の位置に設けられた不図示の液晶パネルや、ファインダー内に表示する方法がある。通知を受けてステップＳ１０６として換気モードを選択するとステップＳ１０７で換気モードを実行する。
【００２２】
換気モードは第５のレンズユニットを駆動することによって行う。図１に示す通り換気モードは撮影モードに比べて、速く且つ広い範囲で第５のレンズユニット５が往復移動する。換気モードではレンズの停止精度が低下しても撮影を行わないため問題がなく、高速駆動を行うことができる。第５のレンズユニット５を移動すると、第１の作用として筺体内で静圧の変化が起きる。圧縮する側に静圧が変化する場合は筺体外へ空気を排気し、膨張する側に静圧が変化する場合は筺体内へ空気を吸気する。
【００２３】
また、第２の作用として換気モードで第５のレンズユニット５が往復移動すると、筺体内に空気の対流が起こり、筺体内の空気が撹拌される。この作用によって、筺体内の空気の温度はレンズを移動しない自然対流の状態に比べて効率よく温度のムラを無くすことができる。この２つの作用によって筺体内外を効率よく換気することができる。
【００２４】
換気モード実行中にステップＳ１０８として温度センサＳ１の取得値Ｔ１の単位時間変化が設定値Ｍ２より遅くなると、筺体内外の空気の温度差は飽和し、結露は抑制されたとみなしステップＳ１０９で換気モードを終了する。換気モードを終了するとステップＳ１１０でレンズ装置は撮影モードに戻る。上記構成により本発明によればレンズ群を高速かつ広い範囲で動かすことで筺体内の空気の対流および筺体内外の換気を促進し、短時間のうちに結露を抑制することができる。
【００２５】
［実施例２］
次に以下、図５と図６を用いて本発明の第２の実施例による、レンズ鏡筒について説明する。第１の実施例と異なる構成について詳細に説明する。図５はレンズユニットの光軸を含む面の断面図である。Ｓ２は第２のレンズユニット近傍に設けられた第２の温度センサである。
【００２６】
図６を用いて本カメラ装置の換気手順について説明する。まず、ステップＳ２０１としてカメラ装置２００の不図示の電源を入れると、カメラ装置２００に内蔵された不図示の電池からカメラ装置２００および制御基板２０を介してステップＳ２０２としてレンズ装置１００に電力が供給される。レンズ装置１００に電力が供給されると、ステップＳ２０３としてレンズ装置は撮影モードとなる。撮影モードは静止画撮影や動画撮影および後述する換気モード以外の操作全般を包括するモードである。
【００２７】
次に撮影モード中のレンズ装置１００について説明する。ステップＳ２０4として温度センサＳ１の取得値Ｔ１と温度センサＳ２の取得値Ｔ２の内、温度センサＳ２の取得値Ｔ２の方が高くかつ、設定値Ｄ１より温度差が大きい時に、レンズ装置１００は結露している可能性が高い。ステップＳ２０５として使用者に対して結露を抑制する換気モードを選択するか否かを通知する。通知方法は第１の実施例と同じであり詳細は割愛する。
【００２８】
通知を受けてステップＳ２０６として換気モードを選択するとステップＳ２０７で換気モードを実行する。換気モードの詳細は第１の実施例と同じため詳細は割愛する。換気モード実行中にステップＳ２０８として温度センサＳ１の取得値Ｔ１と温度センサＳ２の取得値Ｔ２の温度差が設定値Ｄ２より小さいと筺体内外の空気の温度差は飽和し、結露は抑制されたとみなしステップＳ２０９で換気モードを終了する。換気モードを終了するとステップＳ１１０でレンズ装置は撮影モードに戻る。
【００２９】
上記構成により本発明によればレンズ群を高速かつ広い範囲で動かすことで筺体内の空気の対流および筺体内外の換気を促進し、短時間のうちに結露を抑制することができ、複数の温度センサを用いることでより精度良く結露を抑制することができる。
【００３０】
以上、本発明の好ましい実施形態について説明したが、本発明はこれらの実施形態に限定されず、その要旨の範囲内で種々の変形及び変更が可能である。
【符号の説明】
【００３１】
１            第１のレンズユニット
２            第２のレンズユニット
３            第３のレンズユニット
４            第４のレンズユニット
５            第５のレンズユニット
６            案内筒
６Ａ          直進溝
７            カム筒
７Ａ          カム溝
７Ｂ          カムギア
８            直進筒
９            固定筒
１０          合焦駆動部
２０          制御基板
α            光軸
ＭＦＲ        手動合焦リング
ＭＺＲ        手動変倍リング
Ｓ１          第１の温度センサ
Ｓ２          第２の温度センサ
【図１】
2019095632.tif 000003
【図２】
2019095632.tif 000004
【図３】
2019095632.tif 000005
【図４】
2019095632.tif 000006
【図５】
2019095632.tif 000007
【図６】
2019095632.tif 000008